【事件の表示】
　特許第３３６５９３３号「双眼鏡」の請求項１に係る特許に対する特許異議の申立てについて、次のとおり決定する。
【結　論】
　訂正を認める。
　特許第３３６５９３３号の請求項１に係る特許を維持する。
【理　由】
１．手続の経緯
　特許第３３６５９３３号の請求項１に係る発明についての出願は、平成９年８月１９日（出願番号：特願平９−２３７６４４号）（特許法４１条に基づく優先日：平成８年８月２０日）の出願であって、平成１４年１１月１日にその発明について特許権の設定登録がされ、その後、その特許について、異議申立人金谷尚子より特許異議の申立てがなされ、取消の理由が通知され、その指定期間内である平成１６年８月２３日に訂正請求がされたものである。
　
２．訂正の適否についての判断
（１）訂正の内容
　特許権者が求めている訂正の内容は以下の訂正事項ａ及びｂのとおりである。                 
　
訂正事項ａ．特許請求の範囲の請求項１を
「【請求項１】　双眼鏡において、左右の望遠鏡光学系を夫々含む左右一対のケーシングと、
　前記左右のケーシングを前記双眼鏡の幅方向に移動し得るよう支持する支持フレームと
　を備え、
　前記支持フレームは、天板および底板を有し、
　前記ケーシングの各々は、前記望遠鏡光学系を保持する光学系保持フレームと、前記フレームに固定された外装ケースを有し、
　前記光学系保持フレームは、少なくとも一部が前記天板と前記底板の間に配置され、前記底板上に載る底面、および前記天板に接する当接面を有し、
　前記外装ケースは、前記光学系保持フレームとの間に前記底板及び前記天板を挟むように設けられ、
　更に、前記左右一対のケーシングにおける前記光学系保持フレームは、平行な一対の延出部をそれぞれ有し、
　ぞれぞれの前記光学系保持フレームは、前記一対の延出部が互いに一方の光学系保持フレームから他方の光学系保持フレームに向かうと共に、ぞれぞれの前記光学系保持フレームの一対の延出部が互いに重なり合う状態で前記天版および前記底板間において配置されていること、
　を特徴とする双眼鏡。」と訂正する。
　
訂正事項ｂ．明細書第段落【０００５】を「【課題を解決するための手段】　上記の目的を達成するために、本発明の双眼鏡は、双眼鏡において、左右の望遠鏡光学系を夫々含む左右一対のケーシングと、左右のケーシングを前記双眼鏡の幅方向に移動し得るよう支持する支持フレームとを備え、支持フレームは、天板および底板を有し、ケーシングの各々は、望遠鏡光学系を保持する光学系保持フレームと、前記フレームに固定された外装ケースを有し、光学系保持フレームは、少なくとも一部が天板と底板の間に配置され、底板上に載る底面、および天板に接する当接面を有し、外装ケースは、光学系保持フレームとの間に底板及び天板を挟むように設けられ、更に、左右一対のケーシングにおける光学系保持フレームは、平行な一対の延出部をそれぞれ有し、ぞれぞれの光学系保持フレームは、一対の延出部が互いに一方の光学系保持フレームから他方の光学系保持フレームに向かうと共に、ぞれぞれの光学系保持フレームの一対の延出部が互いに重なり合う状態で天版および底板間において配置されていることを特徴とする双眼鏡です。このように構成されているため、左右のケーシングが可動フレームと外装ケースにより夫々箱体（殻）を構成することができ、剛性の高い構造が得られる。」と訂正する。
　
（２）訂正の目的の適否、新規事項の有無、及び特許請求の範囲の拡張・変更の存否
　上記訂正事項ａは、特許請求の範囲の減縮を目的とした明細書の訂正に該当し、新規事項の追加に該当せず、また、実質的に特許請求の範囲を拡張又は変更するものでもない。
　また、上記訂正事項ｂは、特許請求の範囲の訂正と整合を図るものであるから、明りょうでない記載の釈明を目的とした明細書の訂正、あるいは誤記の訂正に該当し、新規事項の追加に該当せず、また、実質的に特許請求の範囲を拡張又は変更するものでもない。
　
（３）むすび
　したがって、上記訂正は、特許法第１２０条の４第２項及び同条第３項で準用する同法第１２６条第２項及び第３項の規定に適合するので、当該訂正を認める。
　
３．特許異議の申立ての概要
（Ａ）異議申立人は、甲第２号証（特願平８−１５４０９２号（特開平１０−３０２６号公報参照）の願書に最初に添付した明細書及び図面）（以下、「先願明細書」という。）を提出して、本件の請求項１に係る発明（訂正後の本件の請求項１に係る発明、以下、「本件発明」という。）の特許は特許法第２９条の２の規定に違反してなされたものであるから、本件発明の特許を取り消すべき旨、
（Ｂ）異議申立人は、甲第１号証（実願平２−７７４９４号（実開平４−３５１１４号）の明細書及び図面の内容を撮影したマイクロフィルム）（以下、「刊行物」という。）を提出して、本件発明の特許は特許法第２９条第２項の規定に違反してなされたものであるから、本件発明の特許を取り消すべき旨、主張している。
　
４．特許異議申立て理由のうち（Ａ）についての判断
（１）本件発明
　上記２．で示したように上記訂正が認められる。また、請求項１の記載において、「ぞれぞれの前記光学系保持フレーム」の部分の「ぞれぞれ」は「それぞれ」の誤記であると認める。したがって、本件発明は、上記訂正に係る訂正明細書の特許請求の範囲の請求項１に記載された事項により特定される次のとおりのものである。
「【請求項１】　双眼鏡において、左右の望遠鏡光学系を夫々含む左右一対のケーシングと、
　前記左右のケーシングを前記双眼鏡の幅方向に移動し得るよう支持する支持フレームと
　を備え、
　前記支持フレームは、天板および底板を有し、
　前記ケーシングの各々は、前記望遠鏡光学系を保持する光学系保持フレームと、前記フレームに固定された外装ケースを有し、
　前記光学系保持フレームは、少なくとも一部が前記天板と前記底板の間に配置され、前記底板上に載る底面、および前記天板に接する当接面を有し、
　前記外装ケースは、前記光学系保持フレームとの間に前記底板及び前記天板を挟むように設けられ、
　更に、前記左右一対のケーシングにおける前記光学系保持フレームは、平行な一対の延出部をそれぞれ有し、
　それぞれの前記光学系保持フレームは、前記一対の延出部が互いに一方の光学系保持フレームから他方の光学系保持フレームに向かうと共に、それぞれの前記光学系保持フレームの一対の延出部が互いに重なり合う状態で前記天版および前記底板間において配置されていること、
　を特徴とする双眼鏡。」
　
（２）先願明細書に記載された発明
　先願明細書には、次の発明が記載されている。
　目幅調整機構を有する双眼鏡に関するもので、
（イ）段落【０００５】には、「【課題を解決するための手段】本発明の前提とする双眼鏡は、光学系を有する左右の可動ボディ及び固定ボディと、この可動ボディ及び固定ボディの個々を独自に覆った外装カバーと、前記可動ボディをこれの外装カバーごと前記固定ボディに対し光軸と直交する方向に水平移動させて眼幅調整を行う眼幅調整機構を備えたものである。しかるときは、眼幅を閉状態（常態時）にするには、外装カバーで覆われた固定ボディに対しそれとは別体の外装カバーで覆われた可動ボディをこの外装カバーごと近接するよう水平移動させるが、この水平移動により双眼鏡全体の容積（外観形状）を、眼幅を広げた状態時よりも、小さく変えられてコンパクト化できる。」が記載されている。
　
（ロ）段落【００１９】〜【００２１】には「まず、双眼鏡の全体構成を詳細に説明すると、右光学系の固定鏡筒１Ａは、図３の分解図に示す固定ボディ４に、右対物レンズ枠１０とプリズムホルダー１５及び正立プリズム１６からなるプリズムユニットと、接眼枠１７と接眼移動枠１８からなる接眼ユニット等の光学系と、図６のピント調節機構に示すピント調整軸３０、調整ノブ３１、ナット３２、左右の調整板３３，３４等により構成されるピント調節ユニットとが組み込まれる。この固定ボディ４にはこの外周を覆う右側の外装カバー２が固着される。
【００２０】
　この右光学系の固定鏡筒１Ａの前記ピント調節ユニットを挟んで左光学系の可動鏡筒１Ｂには、可動ボディ５、左対物レンズ枠１０′、プリズム１６′、接眼ユニット２０等が組み込まれる。この左側の可動鏡筒１Ｂは固定ボディ４に固着されたガイド軸９に摺動可能に嵌合される。この可動ボディ５にはこの外周を覆う左側の外装カバー３が遊動可能に取り付けられる。
【００２１】
　図５に示すように、固定ボディ４の上下には可動ボディ５側に延びた上台板６と下台板７が固定されており、この上台板６と下台板７との間に可動ボディ５が挟み込まれるように配置される。可動ボディ５にはこれを下台板７側に押し付ける働きをする圧着バネ６０が設けられており、前記ガイド軸９と共に眼幅調整機構を構成する。」と記載されている。
　
（ハ）段落【００２８】〜【００２９】には「図３に示すように、上台板６には若干上方向に打ち出されたレール２５が設けられるとともに、下台板７には若干下方向へ打ち出されたレール２６が設けられており、これらのレール２５，２６により左側の外装カバー３が摺動するときの上下方向のガイド手段が構成される。下台板７には前後方向に切欠７ａ，７ｂが設けられており、左側の外装カバー３に固定されたストッパーレバー８の爪部が該切欠７ａ，７ｂに嵌合し、左側の外装カバー３を引き出したときのストッパーを構成する。また、下台板７の端面部とストッパーレバー８の端面部とはガタなく密に嵌合しており、左側の外装カバー３の左右方向の摺動案内の役割を果たしている。
【００２９】
左側の外装カバー３は上下台板６，７をガイドにして摺動しており、光学系を含む可動ボディ５はガイド軸９を基準にして摺動する。」と記載されている。
　
（３）対比・判断
　本件発明と先願明細書に記載された発明とを比較検討する。
　先願明細書の双眼鏡は、先願明細書の段落【０００５】、【００１９】〜【００２１】、【００２８】、【００２９】、図１、図３及び図４の記載から明らかなように、
「光学系を有する固定ボディに対して光学系を有する可動ボディを光軸と直交する方向に水平移動させて眼幅調整を行うもの」であり、本件発明のように「望遠鏡光学系を保持する光学系保持フレームと前記フレームに固定された外装ケースを各々有する左右一対のケーシングを、双眼鏡の幅方向に移動し得るよう支持する支持フレームを備えるもの」ではない。
　また、先願明細書には、本件発明のように「左右一対のケーシングにおける光学系保持フレームは、平行な一対の延出部をそれぞれ有し、それぞれの前記光学系保持フレームは、一対の延出部が互いに一方の光学系保持フレームから他方の光学系保持フレームに向かうと共に、それぞれの光学系保持フレームの一対の延出部が互いに重なり合う状態で天版および底板間において配置されていること」の記載もない。
　
　したがって、本件発明は、先願明細書に記載された発明と同一であるとすることはできない。
　
５．特許異議申立て理由のうち（Ｂ）についての判断
（１）刊行物に記載された技術事項
　　刊行物には、次の技術事項が記載されている。
　双眼鏡に関するもので、
（イ）実用新案登録請求の範囲には、「左右一対の接眼レンズ（２）を備え左右両端及び前面が開放された本体フレーム（３）と、接眼レンズ（２）側に覗き窓（４）が設けられかつ前面及び左右対向内側が開放されると共に前記本体フレーム（３）の左右両側に左右方向に摺動自在に外嵌された左右一対のカバー（５）と、前部に対物レンズ（６）を有し後部が開放されると共に本体フレーム（３）に出入自在に嵌装されかつ前記カバー（５）に枢支された左右一対の対物レンズフレーム（７）と、該対物レンズフレーム（７）を常時突出方向に付勢する付勢ばね（８）とから成り、対物レンズフレーム（７）が突出した状態において接眼レンズ（２）と対物レンズ（６）の光軸が一致するようにしたことを特徴とする折畳式双眼鏡」が記載されている。
　
（ロ）第５頁には、「左右一対の接眼レンズ２を備えた本体フレーム３と、覗き窓４を有し本体フレーム３の左右両側に左右方向摺動可能に外嵌される左右一対のカバー５と、対物レンズ６を有しかつ本体フレーム３に出入自在に嵌装される左右一対の対物レンズフレーム７と、」と記載されている。
　
（ハ）第５頁から第６頁には、「そして、該フレーム３は左右両端前側角部が切り欠かれて付勢ばね８の嵌入を許容し、その上下面には、左右両端部に該円弧状のガイド孔１２が上下貫通状に設けられ、」と記載されている。
　
（ニ）第６頁には、「前記カバー５は、左右対称形状で合成樹脂により上下分割成形され、上下一体に組立てた状態において、正面からみて略コ字状を呈しており、前面及び左右対向内側が開放され、後壁１６には前記覗き窓４が設けられている。」と記載されている。
　
（ホ）第７頁には、「前記対物レンズフレーム７は、合成樹脂製の四角筒状を呈し、その前面開口に対物レンズ６が嵌着され、後部開口寄りの上下面には、左右方向対向外側に軸孔２６が設けられ、左右方向対向内側にガイドピン２７が突設されている。」と記載されている。
　
（２）対比・判断
　本件発明と上記刊行物１に記載された発明とを比較検討する。
　刊行物１に記載された双眼鏡は、上記記載事項（イ）〜（ホ）、図１〜図７の記載から明らかなように、本件発明の支持フレームに相当する本体フレーム３に接眼レンズ２が備えられ、本体フレーム３に出入り自在に嵌装される対物レンズフレーム７に対物レンズ６が備えられているもの、であって、本件発明のように、左右一対のケーシングを構成する光学系保持フレームが望遠鏡光学系を保持するもの、ではなく、前提が異なっている。
　また、刊行物１に記載された双眼鏡は、対物レンズフレーム７が、本件発明の外装ケースに相当するカバー５に枢支されるもの、であって、本件発明のように、望遠鏡光学系を保持する光学系保持フレームに外装ケースが固定されるもの、でもなく、前提が異なっている。
　さらにまた、刊行物１に記載された双眼鏡は、本件発明のように、左右一対のケーシングにおける光学系保持フレームは、平行な一対の延出部をそれぞれ有し、それぞれの前記光学系保持フレームは、一対の延出部が互いに一方の光学系保持フレームから他方の光学系保持フレームに向かうと共に、それぞれの光学系保持フレームの一対の延出部が互いに重なり合う状態で天版および底板間において配置されているもの、ではなく、それを示唆する記載も他に見あたらない。
　
　したがって、本件発明は、刊行物１に記載された発明に基づいて当業者が容易になし得た発明であるとすることもできない。
　
６．むすび
　以上のとおりであるから、特許異議申立ての理由、その証拠及び平成１６年６月１６日付けの取消理由、その証拠によっては、本件発明についての特許を取り消すことができない。
　また、他に本件発明についての特許を取り消すべき理由を発見しない。
　よって、結論のとおり決定する。
【異議決定日】
平成１７年９月２６日（２００５．９．２６）
【訂正の要旨】
審決（決定）の【理由】欄参照。
（５４）【発明の名称】
双眼鏡
（５７）【特許請求の範囲】
　【請求項１】双眼鏡において、左右の望遠鏡光学系を夫々含む左右一対のケーシングと、
　前記左右のケーシングを前記双眼鏡の幅方向に移動し得るよう支持する支持フレームと
　を備え、
　前記支持フレームは、天板および底板を有し、
　前記ケーシングの各々は、前記望遠鏡光学系を保持する光学系保持フレームと、前記フレームに固定された外装ケースを有し、
　前記光学系保持フレームは、少なくとも一部が前記天板と前記底板の間に配置され、前記底板上に載る底面、および前記天板に接する当接面を有し、
　前記外装ケースは、前記光学系保持フレームとの間に前記底板及び前記天板を挟むように設けら
れ、
　更に、前記左右一対のケーシングにおける前記光学系保持フレームは、平行な一対の延出部をそれぞれ有し、
　それぞれの前記光学系保持フレームは、前記一対の延出部が互いに一方の光学系保持フレームから他方の光学系保持フレームに向かうと共に、それぞれの前記光学系保持フレームの一対の延出部が互いに重なり合う状態で前記天板および前記底板間において配置されていること、
　を特徴とする双眼鏡。
　【請求項２】前記外装ケースは、前記光学系保持フレームに、前記双眼鏡の前端と後端及び側端において固定されていること、を特徴とする請求項１に記載の双眼鏡。
　【請求項３】前記光学系保持フレームの前端及び後端には、前記外装ケースに内側から当接する当接部が設けられていること、を特徴とする請求項２に記載の双眼鏡。
　【請求項４】前記底板及び天板は金属製であること、を特徴とする請求項１から３のいずれかに記載の双眼鏡。
　【請求項５】前記光学系保持フレームは金属製であること、を特徴とする請求項１から４のいずれかに記載の双眼鏡。
【発明の詳細な説明】
　【０００１】
　【発明の属する技術分野】
　本発明は双眼鏡に関するものであり、より詳細には、左右の接眼部を水平移動させることによって眼幅調整を行う双眼鏡に関するものである。
　【０００２】
　【従来の技術】
　従来より、左右の接眼部を水平移動して眼幅を調整する双眼鏡が知られている。このような双眼鏡では、左右の望遠
鏡
　【０００３】
　【発明が解決しようとする課題】
　しかしながら、このような双眼鏡では、右側のケーシングにおいて、左側のケーシングが引き出された部分が空洞となるため、右側のケーシングの剛性が低下するという問題点があった。
　【０００４】
　上記の事情に鑑み、本発明は、剛性の高いケーシングを有する双眼鏡を提供することを目的とする。
　【０００５】
　【課題を解決するための手段】
　上記の目的を達成するため、本発明の双眼鏡は、
双眼鏡において、左右の望遠鏡光学系を夫々含む左右一対のケーシングと、左右のケーシングを双眼鏡の幅方向に移動し得るよう支持する支持フレームとを備え、支持フレームは、天板および底板を有し、ケーシングの各々は、望遠鏡光学系を保持する光学系保持フレームと、前記フレームに固定された外装ケースを有し、光学系保持フレームは、少なくとも一部が天板と底板の間に配置され、底板上に載る底面、および天板に接する当接面を有し、外装ケースは、光学系保持フレームとの間に前記底板及び前記天板を挟むように設けられ、更に、左右一対のケーシングにおける光学系保持フレームは、平行な一対の延出部をそれぞれ有し、それぞれの光学系保持フレームは、一対の延出部が互いに一方の光学系保持フレームから他方の光学系保持フレームに向かうと共に、ぞれぞれの光学系保持フレームの一対の延出部が互いに重なり合う状態で天板および底板間において配置されていることを特徴とする双眼鏡です。
　【０００６】
　さらに、支持フレームが、左右の可動フレームの上下に位置する天板及び底板を備え、左右の可動フレームの夫々が、底板上に載る底面と、天板に接する当接面とを備え、各可動フレームの底面と当接面が底板及び天板に夫々摺接することによって、各可動フレームが移動可能に保持されるよう構成しても良い。
　【０００７】
　また、各外装フレームを、各可動フレームとの間で、底板及び天板を挟むように設けることができる。このように構成すれば、天板と底板は外装ケースの内側に位置し、観察者が外装ケースを把持する邪魔にならない。また、各可動フレームと外装ケースとを双眼鏡の前端と後端及び側端において固定することもできる。即ち、可動フレームの上下には天板と底板が位置しているため、上下以外の箇所で外装ケースを取り付けることができる。
　【０００８】
　さらに、各可動フレームの前端及び後端には、外装ケースに内側から当接する当接部が設けることができる。このように構成することにより、外装ケースに対する可動フレームの位置決めが可能になる。また、底板及び天板及び可動フレームを金属製とすれば、より剛性の高い構造が得られる。
　【０００９】
　【発明の実施の形態】
　以下、本発明の実施の形態を説明する。本実施形態の双眼鏡は、左右の望遠鏡光学系を双眼鏡の幅方向中心部に対して対称に移動させて眼幅調節を行うよう構成されたものであり、両接眼部の間隔の大小に係わらず、焦点調節用の操作部材が双眼鏡の幅方向中心部に位置するよう構成されたものである。以下、図面を参照して詳説する。
　【００１０】
　図１は、本実施形態の双眼鏡１を示す斜視図である。双眼鏡１は、双眼鏡の幅方向中心部に対して対称に移動可能な左右一対の鏡体（ケーシング）２１，２２と、両鏡体を支持する支持フレーム２５が設けられている。
　【００１１】
　図２は、双眼鏡１の光学系を示す図である。双眼鏡１は、接眼レンズと対物レンズが同一直線上に配置された、所謂ダハプリズムタイプの双眼鏡である。図２に示すように、双眼鏡１の左右の鏡体２１，２２には、左右一対の望遠鏡光学系１０Ｌ，１０Ｒが収容されている。各望遠鏡光学系１０Ｌ，１０Ｒは、図中一点鎖線で示す入射光軸ＯＡＬ，ＯＡＲに沿って、第１レンズ１１Ｌ，１１Ｒ、補助プリズム１２Ｌ，１２Ｒ、ダハプリズム１３Ｌ，１３Ｒ、及び第２レンズ１４Ｌ，１４Ｒ、接眼レンズ１５Ｌ，１５Ｒからなっている。
　【００１２】
　第１レンズ１１Ｌ，１１Ｒ及び第２レンズ１４Ｌ，１４Ｒは、夫々対物レンズ系を形成しており、当該対物レンズ系により像が形成される位置に視野枠１６Ｌ，１６Ｒが設けられている。対物レンズ系により形成された像は、接眼レンズ１５Ｌ，１５Ｒにより拡大され、観察される。
　【００１３】
　次に、図１に示す左右一対の鏡体２１，２２を、双眼鏡の幅方向中心部に対して対称に移動可能とするための構成について説明する。なお、以下の説明では、双眼鏡の対物側を前方、接眼側を後方と呼ぶ。
　【００１４】
　図３は、双眼鏡１のフレーム構造を示す分解斜視図である。左右一対の鏡体２１，２２を移動可能に支持するための支持フレーム２５（図１）は、平行な２枚の板部材である底板４１と天板４２、及び底板４１と天板４２の間に設けられ双眼鏡の高さ方向の支柱となる中央支持体４５によって、横Ｈ字型のフレームとして構成されている。
　【００１５】
　左右の望遠鏡光学系１０Ｌ，１０Ｒ（図２）の各レンズ及びプリズム（図３では夫々光軸ＯＡＬ，ＯＡＲで示す）は、底板４１と天板４２の間で双眼鏡幅方向に移動可能に設けられた左右一対の可動フレーム３１，３２に支持される。また、当該可動フレーム３１，３２には、観察者に把持される部分である左右一対の外装ケース５１，５２が固定される。この左右の可動フレーム３１，３２及び外装ケース５１，５２が、鏡体２１，２２（図１）を構成する。
　【００１６】
　図４は、左右の可動フレーム３１，３２、及び両可動フレームを支持する底板４１を示す斜視図である。可動フレーム３１，３２には、前述の望遠鏡光学系１０Ｌ，１０Ｒ（図２）の各レンズ及び各プリズムを保持する光学系保持部３１０，３２０が設けられている。
　【００１７】
　保持部３１０，３２０の、夫々双眼鏡左端及び右端に相当する端部は、鉛直上向きに屈曲され、側壁部３１１，３２１を形成している。また、保持部３１０，３２０の中央域には、略長方形の開口３１２，３２２が形成されている。
　【００１８】
　可動フレーム３１の保持部３１０の前端及び後端には、側壁部３１１から所定距離の位置に、鉛直方向上方に起立する一対の起立部３１３，３１４が形成されている。側壁部３１１と起立部３１３，３１４との間で、左側の望遠鏡光学系１０Ｌ（図２）が保持される。同様に、可動フレーム３２の保持部３２０の前端及び後端には起立部３２３，３２４が形成され、側壁部３２１と起立部３２３，３２４との間で、右側の望遠鏡光学系１０Ｒ（図２）が保持される。
　【００１９】
　可動フレーム３１の保持部３１０の両起立部３１３，３１４の間には、側壁部３１１と平行な案内軸３１５が掛け渡され、可動フレーム３２の保持部３２０の両起立部３２３，３２４の間には、側壁部３２１と平行な案内軸３２５が掛け渡されている。両案内軸３１５，３２５は、接眼レンズ系及びプリズムを光軸方向に移動させる際の案内を行うものである（詳細は後述する）。
　【００２０】
　可動フレーム３１の保持部３１０の前端及び後端近傍には、双眼鏡幅方向に延びる案内溝３１０ａ，３１０ｂが夫々形成されている。同様に、可動フレーム３２の光学系保持部３２０の前端及び後端近傍には、双眼鏡幅方向に延びる案内溝３２０ａ，３２０ｂが夫々形成されている。
　【００２１】
　底板４１の４隅には、ピン４１３，４１４，４１５，４１６が植設され、夫々可動フレーム３１の案内溝３１０ａ，３１０ｂと可動フレーム３２の案内溝３２０ａ、３２０ｂに貫通する。案内溝３１０ａ，３１０ｂ、３２０ａ、３２０ｂとピン４１３，４１４，４１５，４１６との係合により、可動フレーム３１，３２は、底板４１上で双眼鏡幅方向にのみ移動可能に位置規制される。
　【００２２】
　可動フレーム３１の保持部３１０からは、可動フレーム３２の保持部３２０に向けて平行な一対の延出部３３１，３３２が延びており、可動フレーム３２の保持部３２０からは、可動フレーム３１の保持部３１０に向けて一対の延出部３４１，３４２が延びている。
　【００２３】
　延出部３３１，３３２には双眼鏡の幅方向に延びる係合溝３３３，３３４が形成され、同様に、延出部３４１，３４２には係合溝３４３，３４４が夫々形成されている。
　【００２４】
　また、底板４１の双眼鏡幅方向中央には、可動フレーム３１の係合溝３３３と可動フレーム３２の係合溝３４３に係合するピン４１１と、可動フレーム３１の係合溝３３４と可動フレーム３２の係合溝３４４に係合するピン４１２が植設されている。
　【００２５】
　図５に、可動フレーム３１，３２を底板４１に取り付けた状態を示す。可動フレーム３１，３２を底板４１に取り付けると、可動フレーム３１の延出部３３１，３３２と可動フレーム３２の延出部３４１，３４２とは、可動フレーム３２側が上になるように夫々重なるように配置される。
　【００２６】
　中央支持体４５は、底板４１の幅方向中央部において、可動フレーム３１，３２の各延出部に跨るように配置される。可動フレーム３１の対物側の延出部３３１、及び可動フレーム３２の接眼側の延出部３４２には、夫々ラック３３５，３４５が互いに向き合って形成されており、両ラック３３５、３４５は中央支持体４５の下部に設けられたピニオン３６に係合している。
　【００２７】
　また、図３に示すように、可動フレーム３１の起立部３１３，３１４の上端面３１３ａ，３１４ａ、及び可動フレーム３２の起立部３２３，３２４の上端面３２３ａ，３２４ａは、天板４２の下面に当接する当接面となっている。このように、可動フレーム３１，３２は底板４１及び天板４２により鉛直方向に位置規制される。かくして、可動フレーム３１，３２は、底板４１と天板４２及び中央支持体４５よりなる横Ｈ型の支持フレーム２５によって双眼鏡の幅方向にスライド可能に支持される。
　【００２８】
　図６は、底板４１上での可動フレーム３１，３２のスライド状態を示す平面図である。可動フレーム３１，３２は、底板４１に植設された各ピン４１３，４１４，４１５，４１６と、案内溝３１０ａ，３１０ｂ，３２０ａ，３２０ｂとの係合によって、双眼鏡幅方向にのみスライド可能となっている。さらに、ピニオン３６が可動フレーム３１，３２のラック３３５，３４５に係合しているため、図６（ａ）、（ｂ）に示すように、可動フレーム３１，３２は、互いに逆方向に同量だけ移動可能となる。
　【００２９】
　前述の通り、左右の可動フレーム３１，３２に夫々外装ケース５１，５２（図３）を取り付けることにより左右の鏡体２１，２２（図１）が構成される。図７は、右側の可動フレーム３２と外装ケース５２の取り付け構造を示す斜視図である。なお、図７では、可動フレーム３２の上下に位置する底板４１，天板４２（図３）は省略する。
　【００３０】
　外装ケース５２は双眼鏡幅方向内側に面して開口した箱型に形成されている。外装ケース５２の前端には鉛直壁５２１が形成され、対物レンズ系の第１レンズ１１Ｒ（図２）に入射光を導くための開口５２２が形成されている。一方、外装ケース５２の後端は全体が開口となっており、当該開口の双眼鏡幅方向内側の周縁には、後端カバー５２９を取り付けるための外縁部５２３が形成されている。
　【００３１】
　可動フレーム３２の一対の起立部３２３，３２４のうち、前方の起立部３２３には、前方に向けて水平に突出し、外装ケース５２の壁５２１に当接する当接部３４６が形成されている。また、接眼側の起立部３２４は接眼側に向けて屈曲され、屈曲部の上下端が外装ケース５２の接眼部側の外縁部５２３に当接する当接部３４７となっている。
　【００３２】
　さらに、起立部３２３にはねじ孔３４８が形成され、ねじ孔３４８に対応する外装ケース５２の所定箇所には貫通孔５２４が形成されている。また、起立部３２４にはねじ孔３２４ａが形成され、外装ケース５２の外縁部５２３にはめ込まれる後端カバー５２９には、ねじ孔３２４ａに対応する箇所に貫通孔５２６が形成されている。そして、側壁部３２１の所定箇所にはねじ孔３４９が形成され、ねじ孔３４７に対応する外装ケース５２の所定箇所には、貫通孔５２５が形成されている。
　【００３３】
　このように、可動フレーム３２と外装ケース５２とは、当接部３４６，３４７と壁５２１及び外縁部５２３との当接、及びねじ孔３４８，３２４ａ，３４９へのねじの締め付けによって固定される。つまり、可動フレーム３２の上下には底板４１と天板４２が位置するため、可動フレーム３２の上下以外の箇所、即ち、前後端と側端において、可動フレーム３２と外装ケース５２とが固定される。なお、左側の鏡体２１と可動フレーム３１も、同様に固定される。
　【００３４】
　このように構成されているため、左右の鏡体２１，２２は、横Ｈ型の支持フレーム２５に支持され、図８（ａ）、（ｂ）に概略断面図として示す如く、支持フレーム２５に対して対称にスライドする。
　【００３５】
　本実施形態の双眼鏡では、可動フレーム３１，３２及び外装ケース５１，５２よりなる左右の鏡体（ケーシング）２１，２２が、夫々箱体（殻）を構成するため、剛性の高い構造が得られる。なお、左右の鏡体２１，２２の剛性をより高くするため、可動フレーム３１，３２及び外装ケース５１，５２は金属で構成されている。
　【００３６】
　また、この左右の鏡体２１，２２が、底板４１と天板４２及び中央支持体４５よりなる横Ｈ型の支持フレーム２５に支持されるため、図８（ｂ）に示すように、左右の鏡体２１，２２の間隔を広げた状態でも、双眼鏡１全体の剛性が保たれる。なお、双眼鏡１全体の剛性をより高くするため、底板４１と天板４２は金属で構成されている。
　【００３７】
　次に、接眼部を収納するための構成について説明する。本実施形態の双眼鏡は、図２に示す左右の望遠鏡光学系のうち、補助プリズム１２Ｌ，１２Ｒから接眼レンズ１５Ｌ，１５Ｒまでの部分を左右夫々ワンユニットとし、光軸ＯＡＬ，ＯＡＲに沿って移動させることによって接眼部の収納及び焦点調節を行うよう構成されている。
　【００３８】
　そのため、可動フレーム３１，３２（図３）には、各プリズム及びレンズを保持し、光軸に沿って移動する左右一対の移動体が設けられる。図９は、左側の可動フレーム３１に取り付けられた左の移動体６１を示す平面図である。なお、右側の移動体６２は、左側の移動体６１と双眼鏡幅方向の中心に対し対称に構成されている。
　【００３９】
　図９に示すように、移動体６１には補助プリズム１２Ｌとダハプリズム１３Ｌを保持するプリズムホルダ６３、及び対物レンズ系の第２レンズ１４Ｌ及び接眼レンズ１５Ｌを保持するレンズホルダ６５が取り付けられる。また、接眼レンズ１５の先端には化粧環６７が取り付けられている。
　【００４０】
　移動体６１の右端には、可動フレーム３１に設けられた光軸方向に延びる案内軸３１５を挿通させるための挿通孔６１１，６１２が形成されている。また、移動体６１の左端には、可動フレーム３１の側壁部３１１に上方から接する突起６１３が設けられている。かくして、移動体６１は、可動フレーム３１に対し、光軸方向に移動可能に支持される。
　【００４１】
　さらに、移動体６１の右端には、右方に延びるアーム６１４が形成され、当該アーム６１４には、双眼鏡幅方向方向に延びる係合溝６１５が形成されている。
　【００４２】
　図１０は、移動体６１，６２を駆動するための操作部７０を示す斜視図である。図１０に示すように、中央支持体４５の内部には、操作用の転輪７１が支軸７２の回りに回動可能に設けられている。転輪７１にはねじ７３が係合しており、ねじ７３の先端にはねじ７３が回転しないよう前後方向にのみ案内するスライダ７４が固定されている。
　【００４３】
　スライダ７４は、中央支持体４５の内部に設けられた案内レール４５ａに案内されるコーナー部７４ａが形成され、コーナー部７４ａと案内レール４５ａとの摺動によって、スライダ７４は前後方向に直進移動可能になる。また、スライダ７４には、下方に向けて延びるレバー７５が取り付けられる。
　【００４４】
　中央支持体４５の両側面には、左右の移動体６１，６２のアーム６１４，６２４を左右両側から挿入するための貫通溝４５ｂ，４５ｂが形成されている。貫通溝４５ｂ，４５ｂから中央支持体４５の内部に挿入されたアーム６１４と６２４の溝６１５，６２５には、レバー７５が上方から係合する。
　【００４５】
　図１１は、双眼鏡の内部構造を示す断面図である。図１１に示すように、転輪７１の内部には駆動環７１ａが固定され、駆動環７１ａの内面には２つの突起７６，７７が設けられている。ねじ７３は２条ねじであり、夫々の条に突起７６，７７が係合している。転輪７１を回転すると、ねじ７３が直進移動する。そして、スライダ７４とレバー７５（図１０）を介してアーム６１４，６２４が前後に移動し、移動体６１，６２が移動する。図１２に、接眼部が最も突出した状態を示す。
　【００４６】
　ここで、実施形態の双眼鏡は、図１１に示すように、使用時以外には接眼部を双眼鏡本体内に収納することによって小型化を図っている。そして、移動体６１，６２のストローク（図１１から図１２までの移動距離）は、焦点調節のためのストロークと、接眼部の収納／突出のためのストロークを含んでいる。即ち、図１１に示す状態から転輪を操作すると、移動体６１，６２の全ストローク１１ミリのうち、最初の７ミリで接眼部を観察不能状態から観察可能状態まで移動し、次の４ミリで焦点調節を行う。
　【００４７】
　図１３及び図１４は、ねじ７３の側面図及び転輪７１の断面図である。ねじ７３は、接眼部の収納／突出に相当する部分Ａではリードが大きく（本実施形態では７ミリ）、焦点調節に相当する部分Ｂではリードが小さく（本実施形態では４ミリ）なるよう形成されている。また、ねじ７３の溝７３ａはＶ字断面を有し、これに係合する転輪７１のピン７６，７７は円錐形状であるため、溝においてリードが変化する部分でも、スムースに摺動することができる。このように構成することによって、接眼部の収納／突出はすばやく行うことができ、且つ焦点調節は細かく正確に行うことができる。
　【００４８】
　なお、移動体６１，６２（図１１）を、望遠鏡光学系１０Ｌ，１０Ｒが観察不能状態から観察可能状態になるまで移動させた時、望遠鏡光学系１０Ｌ，１０Ｒの焦点は無限遠に合っている。そして、観察可能状態になってからさらに転輪７１を操作して移動体６１，６２を移動することにより、無限遠から近距離へと焦点調整が行われる。
　【００４９】
　このように、本実施形態の双眼鏡によると、両鏡体２１，２２が双眼鏡１の幅方向中心部に対して対称にスライドするため、双眼鏡１の幅方向中央部に配置された焦点調節用の転輪７１が、両鏡体２１，２２の間隔の変化に係わらず常に双眼鏡１の幅方向中央部に位置する。従って、右利き、左利きのいずれの観察者にとっても転輪が操作し易い。
　【００５０】
　また、双眼鏡の未使用時には、接眼レンズ１５Ｌ，１５Ｒを、観察不能状態になるまで第１レンズ１１Ｌ，１１１Ｒに接近させることができる。即ち、未使用時の双眼鏡の光軸方向の寸法をそれだけ小さくすることができ、携帯性が向上する。また、接眼部の収納／突出と焦点調節とを同一の機構（即ち、移動体６１、６２の光軸方向への移動）で行うよう構成したため、接眼部の収納／突出と焦点調節を別々の駆動機構で行う場合に比べて、構成が簡単になる。
　【００５１】
　次に、視度差調整機構について説明する。図１１，１２に示すように、右側の対物レンズ系の第１レンズ１１Ｒは、可動フレーム３２の案内軸３２５により光軸方向に移動可能に支持されている。一方の左側の第１レンズ１１Ｌは、可動フレーム３１に固定されている。実施形態の双眼鏡は、一方（右側）の対物レンズ系の第１レンズ１１Ｒを光軸方向に移動することによって、視度差調整を行うよう構成されている。
　【００５２】
　図１５は、左右の第１レンズ１１Ｌ，１１Ｒの取付部分を切り欠いて示す双眼鏡の平面図である。右側の第１レンズ１１Ｒを移動するため、中央支持体４５には右方向に延びる羽根部材８０が設けられている。羽根部材８０には、長手方向に延びる係合溝８１が形成されている。右側の第１レンズ１１Ｒを保持する第１レンズ枠１８の上面には、２つのピン１８ａ，１８ａが設けられ、両ピン１８ａ，１８ａが係合溝８１に係合している。即ち、羽根部材８０の移動によって右側の第１レンズ１１Ｒを移動する。
　【００５３】
　図１６に視度差調整つまみを示す。本実施形態では、視度差調整つまみ９０は、双眼鏡１の下面の幅方向中央部に設けられる。また、視度差調整つまみ９０は円板形状で、光軸と直交する軸の回りで回転操作されるよう構成されている。
　【００５４】
　図１７は、視度差調整つまみ９０と羽根部材８０との連動状態を下方から見た斜視図である。視度差調整つまみ９０の回転を羽根部材８０の直進運動に変換するため、回転ダイヤル９０の上部には、回転ダイヤル９０の回転中心に対し所定量偏心して駆動ピン９１が立設されている。そして、この駆動ピン９１に係合する凹部を有する駆動部材８３が、羽根部材８０と一体的に軸７２に沿って移動可能に設けられている。
　【００５５】
　図１８は、視度差調整つまみ９０の回転操作による駆動部材８３の動作を示す図である。なお、図１８では、分かり易くするため、駆動部材８３と視度差調整つまみ９０を真下から見た状態で別々に示す。図１８（ａ）に示すように、視度差調整つまみ９０が０（基準位置）にセットされている状態では、駆動ピン９１は視度差調整つまみ９０の回転中心に対し横方向（双眼鏡幅方向）に並んだ状態にある。
　【００５６】
　図１８（ａ）の状態から、図１８（ｂ）に示すように視度差調整つまみ９０を時計回りに回転させると、駆動ピン９１は視度差調整つまみ９０の回転中心よりも前方に移動し、駆動部材８３を前進させる。即ち、羽根部材８０を前方に移動させる。また、図１８（ｃ）に示すように、視度差調整つまみ９０を反時計回りに回転させると、駆動ピン９１は視度差調整つまみ９０の回転中心よりも後方に移動し、駆動部材８３を後退させる。即ち、羽根部材８０を後方に移動させる。
　【００５７】
　このように、視度差調整つまみ９０を光軸と直交する軸の回りに回転可能に設けることができるため、図１６に示すように視度差調整つまみ９０を双眼鏡１の下面に設けることが可能になる。これにより、簡単に操作することができる上、スペースを取らないという効果を奏するものである。
　【００５８】
　さらに、図１９に双眼鏡１の部分断面図として示すように、視度差調整つまみ９０の表面は、外装ケース５１（５２）の外表面と一致しており、当該外表面よりも突出するのは「・」「＋」「−」（図１８）などの記号とローレットである。このように構成されているため、双眼鏡１全体がコンパクトになる。また、「・」「＋」「−」等の記号及びローレットと指とのグリップにより、視度差調整つまみ９０を指で容易に回転操作することができる。
　【００５９】
　なお、図１７及び図１８において、駆動部材８３を羽根部材８０に固着することも可能だが、本実施形態では双眼鏡の工場出荷前あるいは部品交換後の視度差の微調整を可能にするために、駆動部材８３と羽根部材８０との位置関係が調節可能となっている。
　【００６０】
　即ち、図１８に示すように、羽根部材８０には、駆動部材８３の前方に面する板状部位９５が設けられ、ねじ９３が板状部位９５を通して駆動部材８３にねじ込まれ、さらにねじ９３の周囲にばね９６が配置されている。即ち、ねじ９３を締めるあるいは緩めると、駆動部材８３に対する羽根部材８０の光軸方向の相対位置を微調節することができる。
　【００６１】
　ねじ９３を操作するための工具を挿通するため、中央支持体４５には工具用挿通孔９７が形成され、該挿通孔９７は中央支持体４５の前面の化粧シール９８に隠れている。そのため、両鏡体２１，２２の間隔を広げ（図１６）、化粧シール９８を剥がして、工具挿通孔９７から工具を挿通することにより、ねじ９３を回転させ、視度差の微調整を行うことができる。
　【００６２】
　このように、本実施形態の双眼鏡によると、左右の鏡体（ケーシング）２１，２２が、可動フレーム３１，３２及び外装ケース５１，５２により夫々箱体（殻）を構成するため、剛性の高い構造が得られる。また、左右の鏡体２１，２２の間隔を広げた状態でも、双眼鏡１全体の剛性が保たれる。
　【００６３】
　【発明の効果】
　以上、説明したように、本発明の双眼鏡によると、左右のケーシングが可動フレームと外装ケースにより夫々箱体（殻）を構成するため、剛性の高い構造が得られる。
【図面の簡単な説明】
　【図１】本実施形態の双眼鏡の斜視図である。
　【図２】図１の双眼鏡の光学系を示す図である。
　【図３】図１の双眼鏡の分解斜視図である。
　【図４】可動フレームのを示す斜視図である。
　【図５】可動フレームを底板に取り付けた状態を示す斜視図である。
　【図６】可動フレームのスライド動作を示す斜視図である。
　【図７】可動フレームに対する外装ケースの取付構造を示す斜視図である。
　【図８】左右の鏡体のスライド動作を示す斜視図である。
　【図９】移動体の構造を示す平面図である。
　【図１０】操作部材を示す斜視図である。
　【図１１】双眼鏡の内部構造を示す平面図である。
　【図１２】双眼鏡の内部構造を示す平面図である。
　【図１３】ねじを示す平面図である。
　【図１４】転輪を示す断面図である。
　【図１５】双眼鏡の内部構造を示す平面図である。
　【図１６】視度差調整つまみを示す斜視図である。
　【図１７】視度差調整機構を示す斜視図である。
　【図１８】羽根部材の動作を示す概略図である。
　【図１９】双眼鏡の部分断面図である。
　【符号の説明】
　１　双眼鏡
　１１Ｌ，１１Ｒ　第１レンズ
　１２Ｌ，１２Ｒ　補助プリズム
　１３Ｌ，１３Ｒ　ダハプリズム
　１４Ｌ，１４Ｒ　第２レンズ
　１５Ｌ，１５Ｒ　接眼レンズ
　２１，２２　鏡体（ケーシング）
　２５　支持フレーム
　３１，３２　可動フレーム
　３１０ａ，３１０ｂ，３２０ａ，３２０ｂ　案内溝
　３６　ピニオン
　４１　底板
　４１３，４１４，４１５，４１６　ピン
　４２　天板
　４５　中央支持体
　５１，５２　外装ケース
　６１，６２　移動体
　６１４，６２４　アーム
　７０　操作部
　７１　転輪
　７３　ねじ
　８０　羽根部材
　９０　視度差調整つまみ
　９１　駆動ピン